(57)【要約】【課題】サイロ内に垂下されたサイロ測温ケーブルは、貯蔵物が上部から投入された、下部から搬出されるのに伴い、上から下方向へ力が加わる。このため、上から下方向へ加わる力の影響で、測温ケーブル中のリード線を被覆する樹脂製カバーなどは、下方向へ延びてしまい、最悪の場合切れてしまうことがある。切れた樹脂製カバーは、貯蔵物の不純物となってしまう恐れがある。【解決手段】本発明では、サイロ内に垂下しサイロ内貯蔵物の温度を測定するサイロ測温ケーブルにおいて、測温端子およびリード線をカバーする樹脂製カバーと、前記リード線が接続され、樹脂製カバーが伸長したときに樹脂製カバー先端に追従するリード線接続部と、前記リード線接続部がリード線から離脱したときに、警報を発報する発報部と、を有する脱落警報付サイロ測温ケーブルを提供する。【選択図】図１
2014145653.tif 000002
【特許請求の範囲】
【請求項１】
サイロ内に垂下しサイロ内貯蔵物の温度を測定するサイロ測温ケーブルにおいて、
測温端子およびリード線をカバーする樹脂製カバーと、
前記リード線が接続され、樹脂製カバーが伸長したときに樹脂製カバー先端に追従するリード線接続部と、
前記リード線接続部がリード線から離脱したときに、警報を発報する発報部と、
を有する脱落警報付サイロ測温ケーブル。
【請求項２】
前記リード線接続部は、樹脂製カバー先端から脱落しないように脱落防止鍔部を有する請求項１に記載の脱落警報付サイロ測温ケーブル。
【請求項３】
前記リード線をリード線接続部近傍に巻き取るリード線巻取り部を有する請求項１または２に記載の脱落警報付サイロ測温ケーブル。
【発明の詳細な説明】
【技術分野】
【０００１】
本発明は、穀物などを貯蔵する大型のサイロ内の温度を測定するサイロ測温ケーブルにおいて、測温ケーブルの先端が使用の経年とともに伸びて落下し、貯蔵物の異物となることを防ぐ脱落警報付サイロ測温ケーブルに関する。
【背景技術】
【０００２】
穀物などを貯蔵する大型のサイロは、特許文献１の様に、サイロ内部に上部から貯蔵物の温度を測定するためのサイロ測温ケーブルを垂下させる。この垂下されたサイロ測温ケーブルには多数の温度センサが取り付けられ、サイロ内の貯蔵物の温度を測定することが可能となっている。
【０００３】
サイロ内の温度測定は、仮に貯蔵物が可燃性の物質であった場合に、貯蔵庫内での自然発火を検知したり、食物などの場合は保存温度を維持するために必要となっている。また、サイロ内の側壁に温度センサと取り付ける方法もあるが、貯蔵物周囲の温度しか測定することができず、自然発火などを検知するには不十分である。
【先行技術文献】
【特許文献】
【０００４】
【特許文献１】特開２００７−２７１２８９
【発明の概要】
【発明が解決しようとする課題】
【０００５】
この大型のサイロは、貯蔵物をサイロ上部から投入し、貯蔵物を取り出す際には下部の出口から取り出す。このため、サイロ内に垂下されたサイロ測温ケーブルは、貯蔵物が上部から投入され、下部から搬出されるのに伴い、上から下方向へ力が加わる。このため、上から下方向へ加わる力の影響で、測温ケーブル中のリード線を被覆する樹脂製カバーなどは、下方向へ延びてしまい、最悪の場合切れてしまうことがある。切れた樹脂製カバーは、貯蔵物の不純物となってしまう恐れがある。
【課題を解決するための手段】
【０００６】
そこで、本発明では、上記問題を鑑み、以下の脱落警報付サイロ測温ケーブルを提供する。第一の発明としては、サイロ内に垂下しサイロ内貯蔵物の温度を測定するサイロ測温ケーブルにおいて、測温端子およびリード線をカバーする樹脂製カバーと、前記リード線が接続され、樹脂製カバーが伸長したときに樹脂製カバー先端に追従するリード線接続部と、前記リード線接続部がリード線から離脱したときに、警報を発報する発報部と、を有する脱落警報付サイロ測温ケーブルを提供する。
【０００７】
第二の発明としては、前記樹脂製カバーが伸長したとき、リード線接続部は樹脂製カバー先端部とともに脱落する前に、リード線からリード線接続部が離脱するように構成されている第一の発明に記載の脱落警報付サイロ測温ケーブルを提供する。
【０００８】
第三の発明としては、前記リード線をリード線接続部近傍に巻き取るリード線巻取り部を有する第一の発明または第二の発明に記載の脱落警報付サイロ測温ケーブルを提供する。
【発明の効果】
【０００９】
本件発明の様に、脱落警報付サイロ測温ケーブルの先端の樹脂製カバーが、サイロ内に脱落または伸長したのを検知し、警報を発することで、異物の混入を検知することが可能となる。また、リード線接続部に、樹脂製カバー先端から脱落しないように脱落防止鍔部を有することで、樹脂製カバーがサイロ内に脱落する前にリード線とリード線接続部が離れるように構成することが可能となる。これにより、サイロ内に異物となる樹脂製カバーが脱落する前に警報が発報され、異物混入を防ぐことが可能となる。さらに、リード線をリード線接続部近傍に巻き取るリード線巻取り部を有することで、樹脂製カバーの伸長に対して、リード線接続部が追従することが可能となる。これにより、脱落警報付サイロ測温ケーブルの使用期間を長くし、樹脂製カバー先端部がサイロ内に脱落する前に、警報を発報するようにすることが可能となる。
【図面の簡単な説明】
【００１０】
【図１】実施形態１の脱落警報付サイロ測温ケーブルを説明するための概念図
【図２】実施形態１の脱落警報付サイロ測温ケーブルを説明するための概念図
【図３】実施形態１の脱落警報付サイロ測温ケーブルを説明するための概念図
【図４】実施形態２の脱落警報付サイロ測温ケーブルを説明するための概念図
【図５】実施形態３の脱落警報付サイロ測温ケーブルを説明するための概念図
【発明を実施するための形態】
【００１１】
以下、本件発明の実施の形態について、添付図面を用いて説明する。なお、本件発明は、これら実施形態に何ら限定されるべきものではなく、その要旨を逸脱しない範囲において、種々なる態様で実施し得る。
【００１２】
実施形態１は主に請求項１に、実施形態２は主に請求項２に、実施形態３は主に請求項３などに関する。
【００１３】
＜＜実施形態１＞＞
＜実施形態１  概要＞
本実施形態は、サイロ内に垂下したサイロ測温ケーブルにおいて、サイロ測温ケーブルの先端の樹脂製カバーが、脱落した際に警報を発することを可能とした脱落警報付サイロ測温ケーブルである。
【００１４】
＜実施形態１  構成＞
図１に本実施形態の脱落警報付サイロ測温ケーブルを説明するための概念図を示した。図１の（ａ）は、本実施形態の脱落警報付サイロ測温ケーブル（０１０１）をサイロ（０１０２）中に垂下させ設置したときの概念図であり、（ｂ）は、本実施形態の脱落警報付サイロ測温ケーブルの先端部分の拡大図である。また（ｃ）は、本実施形態の脱落警報付サイロ測温ケーブルの先端部分の樹脂で固められた先端部分の透視概念図である。本実施形態の脱落警報付サイロ測温ケーブルは、サイロ内に垂下しサイロ内貯蔵物の温度を測定するサイロ測温ケーブルにおいて、測温端子およびリード線をカバーする樹脂製カバー（０１０３）と、前記リード線が接続され、樹脂製カバーが伸長したときに樹脂製カバー先端（０１０４）に追従するリード線接続部（０１０５）と、前記リード線接続部がリード線から離脱したときに、警報を発報する発報部（０１０６）と、を有する。なお、図１では、測温端子が接続されたケーブルについては、図を簡略化するために省略している。実際の脱落警報付サイロ測温ケーブルには、この他、測温ケーブルを補強するための芯材などが組み込まれている。以下、本明細書中に示した図はすべて同様である。
【００１５】
「樹脂製カバー」は、測温端子およびリード線をカバーしている。樹脂製カバー内には、多数の測温端子および、測温端子が接続されたリード線が配置されている。また、樹脂製カバーは、ポリエチレンなどの樹脂によって構成されている。なお、樹脂製カバーを構成する材料は、本実施形態の脱落警報付サイロ測温ケーブルを配置するサイロに応じて適宜変更可能である。例えば、サイロ内に貯蔵される物質に応じて変更してもよいし、サイロ内の温度などに応じて変更してもよい。本実施形態の脱落警報付サイロ測温ケーブルは、先にも述べたようにサイロ内に垂下して使用する。また、サイロ内に貯蔵された貯蔵物は、下部方向から搬出されるため、脱落警報付サイロ測温ケーブルは、常に下方向へ引っ張られる力が加わっている。このため、ポリエチレンなどの樹脂で構成された樹脂製カバーは、下方向への引っ張る力により、徐々に伸びてしまう。本実施形態の脱落警報付サイロ測温ケーブルも、樹脂製カバーが伸びた場合、最終的には樹脂製カバーの先端部分が切れてサイロ内に脱落してしまう。しかし、本実施形態の脱落警報付サイロ測温ケーブルは、樹脂製カバーの先端部分に、後述するリード線接続部を配置することで、樹脂製カバーの脱落を検知することが可能となっている。
【００１６】
「リード線接続部」は、図１の（ｂ）および（ｃ）に示したように、樹脂製カバーと同種の樹脂によって固められ樹脂製カバーに固定されている。また、リード線接続部は、リード線が接続され、先に述べた樹脂製カバーが下方向へ加わる力によって伸長したときに、樹脂製カバーの先端部とともに移動する。図２にリード線接続部と樹脂製カバーが伸長したときの概念図を示した。図２中の斜線で示した部分は、樹脂により固められた領域を示し、破線で示したのが、樹脂で固められた領域内に固定されたリード線接続部である。なお、図２中では、説明のため、リード線は省略して記載している。図２の（ａ）は、樹脂製カバー（０２０１）が伸長する前の状態、つまり脱落警報付サイロ測温ケーブルがほぼ新品の状態を表している。この脱落警報付サイロ測温ケーブルを長期間使用すると、（ｂ）のように、脱落警報付サイロ測温ケーブルの先端部分から徐々に伸長していく。このような状態となった場合でも、本実施形態のリード線接続部（０２０２）は、樹脂製カバーの先端部に追従するように構成されている。
【００１７】
図２の（ｂ）の様に、樹脂製カバーが伸びた場合、リード線とリード線接続部の接続が離れる。このように、リード線とリード線接続部が離れることで、リード線に流れる電流の流れが阻害される。このような状態となることで、樹脂製カバーが伸長し先端部分が脱落するのを検出する。
【００１８】
発報部は、リード線接続部がリード線から離脱したことを検知し、警報を発報する。リード線は、図１に示したように、サイロ測温ケーブルの先端部に設けられたリード線接続部と接続されている。リード線接続部がリード線から離脱すると、リード線が断線することになり、この断線を検知すると、発報部が警報を発報する。警報の発報は、音による発報以外にも、LEDなどのランプの点灯、点滅の他、ディスプレイを有する場合には画面表示などや、またそれらの組み合わせ等であってもよい。
【００１９】
尚、発報部は一般的にサイロ測温ケーブルが接続された記録計やパソコンなど、サイロ測温ケーブルから得られた温度情報などを記録したり処理したりする装置に設けられ、リード線接続部がリード線から離脱したときに発報するように、構成されている。より具体的には、発報部は、記録計やパソコンなどに記憶されたソフトウエア（プログラム）であり、記録計や、パソコンなどのRAMなどのメモリ領域に展開されて動作し、リード線接続部がリード線から離脱したことを検知すると、プログラムがスピーカによる警報や、LEDなどのランプの点灯、点滅などや、ディスプレイへの表示などを実行するように構成されている。
【００２０】
尚、リード線を延長しリード線接続部へ接続するような構成の場合、リード線を延長する個所、つまり接続部分の位置に注意を払う必要がある。リード線接続部へリード線は2本接続される。先に説明したように、本実施形態の脱落警報付サイロ測温ケーブルは、リード線接続部が離脱することで、リード線を流れる電流が阻害され、これを検知することで発報する構成となっている。このため、リード線接続部が脱落しなくとも、リード線が切断されることで警報を発報することも可能である。しかし、リード線を延長している場合、リード線を接続している個所が切断される可能性がある。このとき、2本のリード線が同じ位置で接続されていた場合、リード線が2本同時に接続箇所から切断される可能性がある。2本同時に切断された場合には、リード線を流れる電流が阻害されるため、警報が発報される。しかし、同じ位置で2本同時に切断された場合、切断された個所同士が短絡し、警報が発報されない可能性がある。そこで、リード線を延長した場合は、2本のリード線の接続位置をずらして配置し、警報が確実に発報されるように構成する必要がある。
【００２１】
＜実施形態１  効果＞
本実施形態の様に、サイロ測温ケーブルの先端の樹脂製カバーが、サイロ内に脱落したのを検知し、警報を発することで、異物の混入を検知することが可能となる。
【００２２】
＜実施形態２＞
＜実施形態２  概要＞
本実施形態は、樹脂製カバーの先端が、サイロ内に脱落する前にリード線接続部がリード線から離脱するようにするために、リード線接続部に、樹脂製カバー先端から脱落しないように脱落防止鍔部を有している。このように、樹脂製カバーがサイロ内に脱落する前にリード線とリード線接続部が離れるように構成することで、サイロ内に異物となる樹脂製カバーが脱落する前に警報が発報され、異物混入を防ぐことが可能となる。
【００２３】
＜実施形態２  構成＞
本実施形態は、実施形態１の脱落警報付サイロ測温ケーブルのリード線接続部に、樹脂製カバー先端から脱落しないように脱落防止鍔部を有し、前記樹脂製カバーが伸長したとき、リード線接続部が樹脂製カバー先端部とともに脱落する前に、リード線からリード線接続部が離脱するように構成されている。
【００２４】
本件発明の脱落警報付サイロ測温ケーブルは、実施形態１に述べたように、樹脂製カバーが伸長すると、リード線接続部が樹脂製カバーの先端とともに移動することでリード線から離脱し、これにより発報部が警報を発報するように構成されている。しかし、仮に図３の（ａ）のように、樹脂製カバー（０３０１）が伸長して、リード線（０３０２）がリード線接続部（０３０３）から離脱する前に、樹脂製カバーの先端（０３０４）がサイロ内に脱落すると、本実施形態の脱落警報付サイロ測温ケーブルは、脱落が検知できないことになる。また、図３の（ｂ）のように、樹脂製カバーが伸長し、リード線がリード線接続部から離脱する際に、伸長した樹脂製カバーの先端と同時にサイロ内に脱落すると、警報は発報されるが、樹脂製カバーの先端がサイロ内に脱落するのを防ぐことができない。そこで、図３の（ｃ）のように、樹脂製カバーが伸長し、先端が脱落する前に、リード線とリード線接続部が離脱するように構成すると、サイロ内に樹脂製カバーの先端が脱落する前に警報を発報し、異物混入を事前に防止することが可能となる。
【００２５】
そこで、本実施形態のリード線接続部は、樹脂製カバーが伸長し、先端が脱落する前に、リード線とリード線接続部が離脱するようにする必要があるため、リード線接続部と樹脂製カバーの先端部分は強固に固定されている必要がある。例えば、図３の（ａ）のように、単に円柱形のリード線接続部が樹脂製カバーの先端部分に埋め込まれている場合、樹脂製カバーが伸長すると、樹脂製カバーがリード線接続部から抜け落ちてしまう可能性がある。このように、樹脂製カバーがリード線接続部から抜け落ちてしまうと、リード線接続部がリード線から離れないため、樹脂製カバーの脱落を検知することができない。そこで、本実施形態の脱落警報付サイロ測温ケーブルでは、図４のように、リード線接続部（０４０１）に脱落防止鍔部（０４０２）を設け、樹脂製カバー（０４０３）が伸長したときに、リード線接続部がこの脱落防止鍔部に係止され、リード線接続部が樹脂製カバーの先端（０４０４）から抜け落ちないように構成している。なお、脱落防止鍔部の大きさは、脱落警報付サイロ測温ケーブル先端の大きさ（直径）や、リード線接続部の大きさに応じて適宜設定する。また、脱落防止鍔部は、図４の（ａ）のように、１つであってもよいし、（ｂ）のように複数有していてもよい。また、脱落防止鍔部を設ける位置も、（ｃ）のように、先端に近い位置や、逆にリード線との接続位置近傍に配置してもよい。
【００２６】
＜実施形態２  効果＞
本実施形態の脱落警報付サイロ測温ケーブルのように、リード線接続部に、樹脂製カバー先端から脱落しないように脱落防止鍔部を有することで、樹脂製カバーがサイロ内に脱落する前にリード線とリード線接続部が離れるように構成することが可能となる。これにより、サイロ内に異物となる樹脂製カバーが脱落する前に警報が発報され、異物混入を防ぐことが可能となる。
【００２７】
＜実施形態３＞
＜実施形態３  概要＞
本実施形態は、リード線をリード線接続部近傍に巻き取るリード線巻取り部を有することを特徴としている。実施形態１および実施形態２に述べたように、本件発明の脱落警報付サイロ測温ケーブルは、樹脂製カバーの先端が、サイロ内に異物として脱落しないようにすることを目的としている。このため、実施形態２に述べたように、樹脂製カバーの先端部が、サイロ内に脱落する前に、リード線とリード線接続部が離脱し、警報を発報するように構成することが必要である。しかし、樹脂製カバーは、自重により伸長しても、すぐには切れて脱落することはない一方で、リード線とリード線接続部は、リード線接続部が樹脂製カバーの伸長に伴い引っ張られると、リード線およびリード線接続部は伸長しないため、すぐに接続が離れてしまい、警報が発報される。本実施形態では、樹脂製カバーが伸長しても、すぐに警報を発報せず、また樹脂製カバー先端部がサイロ内に脱落する前に、警報を発報するように構成した脱落警報付サイロ測温ケーブルを提供する。
【００２８】
＜実施形態３  構成＞
図５に本実施形態の概念図を示した。本実施形態の脱落警報付サイロ測温ケーブルは、リード線をリード線接続部近傍に巻き取るリード線巻取り部を有する。図５の（ａ）に示したように、本実施形態の脱落警報付サイロ測温ケーブルは、リード線接続部（０５０１）の近くに、リード線（０５０２）を巻き取るリード線巻取り部（０５０３）を有している。このリード線巻取り部は、樹脂製カバー（０５０４）が伸長した際に、樹脂製カバーの伸長にリード線接続部が追従して移動するように、リード線の長さを調整する。仮に、仮に、この巻取り部にリード線が巻き取られていなかった場合、樹脂製カバーの伸長によってリード線接続部がサイロケーブル先端方向に移動すると、リード線は、樹脂製カバーのように伸長する材質で構成されていないため、樹脂製カバーが伸長すると間もなくリード線とリード線接続部が切断されて、警報が発報されてしまう。
【００２９】
この場合、樹脂製カバーが脱落する前に警報が発報されるため、本件発明の脱落警報付サイロ測温ケーブルの目的は達しているが、樹脂製カバーが少しでも伸長すると警報を発してしまい、脱落警報付サイロ測温ケーブルの交換頻度が上がってしまう。このため、先に説明したように、リード線が巻取り部に巻き取られているとで、巻き取られている長さだけ、リード線接続部は樹脂製カバーの伸長に追従することが可能となり、脱落警報付サイロ測温ケーブルの交換頻度を抑制することが可能となる。
【００３０】
ただし、巻取り部に巻き取るリード線の量は、樹脂製カバーの先端部が、サイロ内に落下する前に、警報が発報できるように構成される必要がある。
【００３１】
ここで、図５の（ａ）から（ｃ）を用いて、リード線巻取り部について、その機能を説明する。カバーの伸長が進むと、本実施形態の脱落警報付サイロ測温ケーブルは、（ｂ）のように樹脂製カバーは伸びた状態となると、リード線巻取り部に巻き取られたリード線が、伸びて、リード線接続部は、樹脂製カバーの先端に追従した状態となる。さらに、（ｃ）のように、樹脂製カバーの伸長が進むと、巻取り部に巻き取られたリード線は、巻き取られたリード線以上に伸長されてしまい、リード線とリード線接続部が切断される。この状態で、本実施形態の脱落警報付サイロ測温ケーブルは、交換時期であり、樹脂製カバー先端部が脱落する前に、警報が発報される。尚、リード線巻取り部を設ける位置は、樹脂製カバー先端部近傍で、樹脂製カバーが伸長した際に、リード線接続部が追従できるよう、自由にリード線の長さが調整できるような位置に配置すればよい。
【００３２】
＜実施形態３  効果＞
本実施形態の脱落警報付サイロ測温ケーブルは、リード線をリード線接続部近傍に巻き取るリード線巻取り部を有することで、樹脂製カバーの伸長に対して、リード線接続部が追従することが可能となる。これにより、脱落警報付サイロ測温ケーブルの使用期間を長くし、樹脂製カバー先端部がサイロ内に脱落する前に、警報を発報するようにすることが可能となる。
【符号の説明】
【００３３】
０１０１  脱落警報付サイロ測温ケーブル
０１０２  サイロ
０１０３  樹脂製カバー
０１０４  樹脂製カバー先端
０１０５  リード線接続部
０１０６  発報部
０２０１  樹脂製カバー
０２０２  リード線接続部
０３０１  樹脂製カバー
０３０２  リード線
０３０３  リード線接続部
０３０４  樹脂製カバーの先端
０４０１  リード線接続部
０４０２  脱落防止鍔部
０４０３  樹脂製カバー
０４０４  樹脂製カバーの先端
０５０１  リード線接続部
０５０２  リード線
０５０３  リード線巻取り部
０５０４  樹脂製カバー
【図１】
2014145653.tif 000003
【図２】
2014145653.tif 000004
【図３】
2014145653.tif 000005
【図４】
2014145653.tif 000006
【図５】
2014145653.tif 000007